(57)【特許請求の範囲】
【請求項１】
貯蔵室と、
前記貯蔵室内に配置されて貯蔵物が載置される棚と、
を備え、
前記貯蔵室の両側面部は前記棚の側縁部を摺動可能に上下方向から挟み込む第１レール
および第２レールを有し、
前記貯蔵室の後面部には前記棚に係合して前記棚の前方向への移動を規制する係合部が
設けられており、
前記棚の側縁部の上面には前記側縁部の端面から所定の距離を隔てて突起部が形成され、
前記第１レールおよび前記第２レールを用いて断面コの字状のレール溝が形成されており、
前記棚の側縁部の下側のコーナー部の曲率半径は、前記レール溝の下側のコーナー部の
曲率半径よりも大きいことを特徴とする冷蔵庫。
【請求項２】
前記係合部は前記後面部から前側に突出して形成されており、
前記棚の後縁部は前記係合部に係合する被係合部と、前記被係合部よりも後側に突出し
て前記後面部に当接する当接部とを含むことを特徴とする請求項１に記載の冷蔵
庫。
【請求項３】
前記当接部の肉厚は前記被係合部の肉厚と略同じであることを特徴とする請求項２に記
載の冷蔵庫。
【請求項４】
前記貯蔵室の両側面部は前記第２レールの下方に設けられる第３レールを有し、
前記第２レールおよび前記第３レールは、前記棚の側縁部を摺動可能に上下方向から挟
み込むことを特徴とする請求項１〜３のいずれか１項に記載の冷蔵庫。
【請求項５】
前記第１レールの上面は前記棚が載置される載置面として機能することを特徴とする請
求項１〜４のいずれか１項に記載の冷蔵庫。
【発明の詳細な説明】
【技術分野】
【０００１】
この発明は冷蔵庫に関し、特に、貯蔵物が載置される棚を備えた冷蔵庫に関する。
【背景技術】
【０００２】
従来、貯蔵物が載置される棚を備えた冷蔵庫が知られている（例えば特許文献１参照）。上記特許文献１には、冷蔵室（貯蔵室）内に配置されて貯蔵物が載置される棚を備えた冷蔵庫が開示されている。貯蔵室の側面部には棚の側縁部を下側から支持する支持部が形成されている。しかしながら、上記特許文献１では棚の側縁部を上下方向から挟み込む構造となっていないので、冷蔵庫の輸送時の振動等により棚が支持部から脱落する場合がある。
【０００３】
上記不都合を解消することが可能な冷蔵庫が知られている。図１１〜図１３は、従来の冷蔵庫の構造の一例を示した断面図である。従来の冷蔵庫１００１は図１１に示すように、断熱箱体１００２を備えている。断熱箱体１００２は外箱１０１０と、外箱１０１０内に配置される内箱１０１１と、外箱１０１０および内箱１０１１の間に充填される発泡断熱材１０１２とを含む。
【０００４】
断熱箱体１００２の上部には例えば冷蔵室１００３が設けられている。冷蔵室１００３は回動式の扉１００３ａによって開閉される。冷蔵室１００３の両側面は内箱１０１１の側面部１０１１ａにより形成され、冷蔵室１００３の後面は後方パネル１００４により形成されている。後方パネル１００４の後方には冷気が流通する冷気通路１００５が形成されている。冷気通路１００５には冷蔵室１００３に臨む吐出口１００５ａが形成されている。
【０００５】
内箱１０１１の側面部１０１１ａには図１２に示すように、棚１０２０の側縁部１０２１を摺動可能に上下方向から挟み込む第１レール１０１１ｂおよび第２レール１０１１ｃが形成されている。図１３に示すように、第１レール１０１１ｂおよび第２レール１０１１ｃにより断面コの字状のレール溝１０１１ｄが形成されている。
【０００６】
また、第２レール１０１１ｃには図１２に示すように、係合凹部１０１１ｅが形成されている。棚１０２０の側縁部１０２１には、係合凹部１０１１ｅに係合するように下側に突出する係合爪１０２１ａが形成されている。これにより、棚１０２０がレール溝１０１１ｄに挿入されて後方向にスライドされると、棚１０２０の係合爪１０２１ａが第２レール１０１１ｃの係合凹部１０１１ｅに係合する。そして、棚１０２０の前方向への移動が規制される。
【０００７】
この冷蔵庫１００１では、第１レール１０１１ｂおよび第２レール１０１１ｃにより棚１０２０の側縁部１０２１を上下方向から挟み込むので、輸送時の振動等による棚の脱落を防止できる。
【先行技術文献】
【特許文献】
【０００８】
【特許文献１】特開平１１−１０１５７３号公報
【発明の概要】
【発明が解決しようとする課題】
【０００９】
しかしながら従来の冷蔵庫１００１では、棚１０２０をレール溝１０１１ｄに沿ってスライドさせる場合、棚１０２０の係合爪１０２１ａが第１レール１０１１ｂと第２レール１０１１ｃとの間を通過する。このため、第１レール１０１１ｂと第２レール１０１１ｃとの間の距離を大きくする必要がある。これにより、棚１０２０の係合爪１０２１ａが第２レール１０１１ｃの係合凹部１０１１ｅに係合した状態では、棚１０２０の側縁部１０２１と第１レール１０１１ｂとの間の距離（隙間）が大きくなる。このため、棚１０２０ががたつきやすくなる。
【００１０】
通常、棚１０２０は貯蔵物の重量に耐えられるようにＰＳ（ポリスチレン）などの剛性の高い材料により形成される。このため、冷蔵庫１００１の輸送時の振動等により棚１０２０ががたつくと、係合爪１０２１ａが第２レール１０１１ｃに接触して破損する場合があるという問題点がある。
【００１１】
また通常、内箱１０１１は樹脂を真空成形することにより形成されるので、図１３に示すように湾曲部分（レール溝１０１１ｄのコーナー部など）の肉厚が小さくなる。このため、輸送時の振動等により棚１０２０ががたつくと、湾曲部分が損傷する場合があるという問題点がある。
【００１２】
この発明は、上記のような課題を解決するためになされたものであり、この発明の目的は、輸送時の振動等による損傷を抑制することが可能な冷蔵庫を提供することである。
【課題を解決するための手段】
【００１３】
上記目的を達成するために、この発明の冷蔵庫は、貯蔵室と、貯蔵室内に配置されて貯蔵物が載置される棚と、を備え、貯蔵室の両側面部は棚の側縁部を摺動可能に上下方向から挟み込む第１レールおよび第２レールを有し、貯蔵室の後面部には棚に係合して棚の前方向への移動を規制する係合部が設けられており、棚の側縁部の上面には側縁部の端面から所定の距離を隔てて突起部が形成されている。
【００１４】
この発明の冷蔵庫では、貯蔵室の両側面部は棚の側縁部を上下方向から挟み込む第１レールおよび第２レールを有する。これにより、棚の側縁部は上下方向から第１レールおよび第２レールにより挟まれる。
【００１５】
また、貯蔵室の後面部には棚に係合して棚の前方向への移動を規制する係合部が設けられている。これにより、棚の前方向への移動を規制するために、第２レールに係合凹部を形成するとともに、棚の側縁部に下側に突出して第２レールの係合凹部に係合する係合爪を形成する必要がない。このため、第１レールと第２レールとの間の距離を大きくする必要がない。
【００１６】
また、棚の側縁部の上面には側縁部の端面から所定の距離を隔てて突起部が形成されている。これにより、第１レールおよび第２レールを用いて形成されるレール溝の上側のコーナー部に、棚の側縁部が接触するのを抑制することができる。
【００１７】
上記冷蔵庫において、好ましくは、第１レールおよび第２レールを用いて断面コの字状のレール溝が形成されており、棚の側縁部の下側のコーナー部の曲率半径は、レール溝の下側のコーナー部の曲率半径よりも大きい。このように構成すれば、棚の側縁部はレール溝の下側のコーナー部に接触しない。
【００１８】
上記冷蔵庫において、好ましくは、係合部は後面部から前側に突出して形成されており、棚の後縁部は係合部に係合する被係合部と、被係合部よりも後側に突出して後面部に当接する当接部とを含む。このように、係合部を後面部から前側に突出して形成することによって、係合部が容易に弾性変形する。また、棚の後縁部に被係合部よりも後側に突出して後面部に当接する当接部を設けることによって、棚の後方向への移動を規制することができる。
【００１９】
この場合、好ましくは、当接部の肉厚は被係合部の肉厚と略同じである。このように構成すれば、当接部を容易に形成することができる。
【００２０】
上記冷蔵庫において、好ましくは、貯蔵室の両側面部は第２レールの下方に設けられる第３レールを有し、第２レールおよび第３レールは、棚の側縁部を摺動可能に上下方向から挟み込む。このように構成すれば、ユーザは棚の高さ位置を調整することができる。また、上述したように棚の側縁部に下側に突出する係合爪を形成する必要がないので、第２レールと第３レールとの間の距離を小さくできる。これにより、ユーザは棚の高さ位置を細かく調整することができる。
【００２１】
上記冷蔵庫において、好ましくは、第１レールの上面は棚が載置される載置面として機能する。このように構成すれば、ユーザは棚の高さ位置を調整することができる。また、上述したように第１レールと第２レールとの間の距離を小さくできるので、ユーザは棚の高さ位置を細かく調整することができる。
【発明の効果】
【００２２】
本発明によると、貯蔵室の両側面部は棚の側縁部を上下方向から挟み込む第１レールおよび第２レールを有するので、冷蔵庫の輸送時の振動等による棚の脱落を防止できる。
【００２３】
また、貯蔵室の後面部には棚に係合して棚の前方向への移動を規制する係合部が設けられている。これにより、棚の前方向への移動を規制するために、棚の側縁部に下側に突出する係合爪を形成する必要がない。このため、第１レールと第２レールとの間の距離を大きくする必要がないので、棚ががたつくのを抑制することができる。また、棚に係合爪を設けたり第２レールに係合凹部を設ける必要がないので、輸送時の振動等により棚や第２レールが損傷するのを抑制することができる。
【００２４】
また、棚の側縁部の上面には側縁部の端面から所定の距離を隔てて突起部が形成されている。これにより、棚の側縁部がレール溝の上側のコーナー部に接触するのを抑制することができる。このため、輸送時の振動等により、肉厚の小さい部分であるレール溝のコーナー部が損傷するのを抑制することができる。
【図面の簡単な説明】
【００２５】
【図１】本発明の第１実施形態の冷蔵庫の構造を概略的に示した断面図である。
【図２】図１に示した本発明の第１実施形態の冷蔵庫の棚周辺の構造を示した正面図である。
【図３】図１の１００−１００線に沿った断面図である。
【図４】図１に示した本発明の第１実施形態の冷蔵庫の棚周辺を上方から見た断面図である。
【図５】図４から棚を取り外した状態を示した図である。
【図６】図１に示した本発明の第１実施形態の冷蔵庫の棚の構造を示した平面図である。
【図７】図１に示した本発明の第１実施形態の冷蔵庫の棚の後縁部周辺の構造を示した平面図である。
【図８】図７の１５０−１５０線に沿った断面図である。
【図９】図１に示した本発明の第１実施形態の冷蔵庫の第１レールの上面に棚を載置した状態を示した断面図である。
【図１０】本発明の第２実施形態の冷蔵庫の第２レールと第３レールとの間に棚を配置した状態を示した断面図である。
【図１１】従来の冷蔵庫の構造の一例を概略的に示した断面図である。
【図１２】図１１に示した従来の冷蔵庫の第１レールおよび第２レール周辺の構造を示した側面図である。
【図１３】図１２の１０００−１０００線に沿った断面図である。
【発明を実施するための形態】
【００２６】
以下、本発明の実施形態について図面を参照して説明する。なお、理解を容易にするために、断面図であってもハッチングを施さない場合がある。
【００２７】
（第１実施形態）
図１〜図９を参照して、本発明の第１実施形態による冷蔵庫１の構造について説明する。冷蔵庫１は図１に示すように、断熱箱体２を備えている。断熱箱体２には上側から順に冷蔵室３、冷凍室４および野菜室５が設けられている。冷蔵室３（貯蔵室）は貯蔵物を冷蔵保存し、冷凍室４（貯蔵室）は貯蔵物を冷凍保存する。野菜室５（貯蔵室）は冷蔵室３よりも少し高い温度に維持され、野菜等の貯蔵物を冷蔵保存する。
【００２８】
冷蔵室３は回動式の扉３ａによって開閉される。冷凍室４および野菜室５はそれぞれ収納ケース（図示せず）と一体に形成される引出式の扉４ａおよび５ａによって開閉される。
【００２９】
冷凍室４および冷蔵室３の背面にはダンパ６を介して連通する第１冷気通路７および第２冷気通路８が設けられている。第１冷気通路７には冷却器１１および送風機１２が配置されているとともに、冷凍室４に臨む吐出口７ａが設けられている。第２冷気通路８には冷蔵室３に臨む吐出口８ａが設けられている。
【００３０】
野菜室５の後方には断熱箱体２に隣接して機械室９が設けられ、機械室９内には冷凍サイクルを運転する圧縮機１０が設置されている。圧縮機１０には冷媒が流通する冷媒管（図示せず）を介して凝縮器（図示せず）、キャピラリチューブ（図示せず）、冷却器１１が順に接続され、冷媒管は圧縮機１０に戻る。これにより、冷凍サイクルが運転され、冷却器１１が第１冷気通路７を流通する空気と熱交換して冷気が生成される。
【００３１】
送風機１２を駆動すると第１冷気通路７に空気が流通する。この時、ダンパ６を開くと第２冷気通路８に冷気が流通する。第１冷気通路７および第２冷気通路８を流通する冷気はそれぞれ吐出口７ａおよび８ａを介して冷凍室４および冷蔵室３に吐出される。
【００３２】
冷凍室４には冷気を第１冷気通路７に戻す戻り口（図示せず）が設けられている。冷蔵室３には野菜室５に連通する連通路（図示せず）が導出され、野菜室５には冷気を第１冷気通路７に戻す戻り口（図示せず）が設けられている。
【００３３】
断熱箱体２は外箱２０と、外箱２０内に配置される内箱２１と、外箱２０および内箱２１の間に充填される発泡断熱材２２とを含む。発泡断熱材２２は例えば硬質発泡ウレタンにより形成されている。
【００３４】
図１および図２に示すように、冷蔵室３の両側面は内箱２１の側面部２１ａにより形成され、冷蔵室３の後面は後方パネル（後面部）１３により形成されている。冷蔵室３の側面部（内箱２１の側面部２１ａ）には、第１レール２１ｂおよび第２レール２１ｃが形成されている。第１レール２１ｂおよび第２レール２１ｃは、貯蔵物が載置される棚３０の側縁部３１（図２参照）を摺動可能に上下方向から挟み込む。図３に示すように、第１レール２１ｂおよび第２レール２１ｃを用いて断面コの字状のレール溝２１ｄが形成されている。内箱２１はＡＢＳ（アクリロニトリル・ブタジエン・スチレン共重合体）などの樹脂を真空成形することにより形成されている。このため、レール溝２１ｄの湾曲部分（コーナー部Ｃ１、Ｃ２）の肉厚は平坦な部分の肉厚よりも小さい。なお、第２レール２１ｃの上面には、棚３０の側縁部３１に係合する係合凹部は設けられていない。
【００３５】
冷蔵室３の後面部（後方パネル１３）には図４および図５に示すように、棚３０の後縁部３２に係合する係合部１３ａが２つ形成されている。この係合部１３ａは後方パネル１３から前側に突出するように形成されている。後方パネル１３はＡＢＳなどの樹脂により形成されていてもよい。
【００３６】
棚３０は貯蔵物の重量に耐えられるようにＰＳなどの剛性の高い材料により形成されている。棚３０の側縁部３１の上面には図３に示すように、側縁部３１の外側の端面から所定の距離を隔てて突起部３１ａが形成されている。この突起部３１ａの上面は平坦に形成されており、第１レール２１ｂの下面の平坦な部分に対して面接触する。また、突起部３１ａは図６に示すように、前後方向に延びるように形成されている。このため、冷蔵庫１の輸送時の振動等による衝撃を分散させることが可能である。
【００３７】
図３に示すように、側縁部３１の端面側の下側のコーナー部Ｃ３の曲率半径は、レール溝２１ｄの下側のコーナー部Ｃ２の曲率半径よりも大きい。なお、側縁部３１には、下側に突出して第２レール２１ｃに係合する係合爪は設けられていない。
【００３８】
棚３０の後縁部３２には図７および図８に示すように、後側に突出して後方パネル１３に当接する当接部３２ｂが形成されている。また、後縁部３２の当接部３２ｂ以外の部分は、冷蔵室３の後面部（後方パネル１３）の係合部１３ａに係合する被係合部３２ａとなる。当接部３２ｂは被係合部３２ａよりも後側に突出している。当接部３２ｂの肉厚は被係合部３２ａの肉厚と略同じである。
【００３９】
この冷蔵庫１では、棚３０がレール溝２１ｄに挿入されて後方向にスライドされると、棚３０の被係合部３２ａが後方パネル１３の係合部１３ａに当接して係合部１３ａが下側に撓む。そして、棚３０がさらに後方向にスライドされると、係合部１３ａが元に戻り棚３０の被係合部３２ａに係合する。これにより、棚３０の前方向への移動が規制される。このとき、棚３０の当接部３２ｂが後方パネル１３に当接し、棚３０の後方向への移動が規制される。
【００４０】
また、棚３０を前方に引くと係合部１３ａとの係合が解除され、棚３０がレール溝２１ｄから取り外される。これにより、棚３０やレール溝２１ｄの清掃を容易に行うことが可能となる。
【００４１】
冷蔵庫１の製造時には図３に示したように、棚３０は第１レール２１ｂと第２レール２１ｃとの間に挿入されて固定される。そして、この状態で冷蔵庫１は輸送される。
【００４２】
なお、第１レール２１ｂの上面は棚３０が載置される載置面として機能する。このため、ユーザは棚３０を第１レール２１ｂと第２レール２１ｃとの間に挿入して使用するだけでなく、図９に示すように第１レール２１ｂの上面に載置して使用することも可能となる。
【００４３】
本実施形態では、上記のように、冷蔵室３の側面部２１ａは棚３０の側縁部３１を上下方向から挟み込む第１レール２１ｂおよび第２レール２１ｃを有する。これにより、棚３０の側縁部３１は上下方向から第１レール２１ｂおよび第２レール２１ｃにより挟まれるので、冷蔵庫１の輸送時の振動等による棚３０の脱落を防止できる。
【００４４】
また、冷蔵室３の後面部（後方パネル１３）には棚３０に係合して棚３０の前方向への移動を規制する係合部１３ａが設けられている。これにより、棚３０の前方向への移動を規制するために、棚３０の側縁部３１に下側に突出する係合爪を形成する必要がない。このため、第１レール２１ｂと第２レール２１ｃとの間の距離を大きくする必要がないので、棚３０ががたつくのを抑制することができる。
【００４５】
また、棚３０に係合爪を設けたり第２レール２１ｃに係合凹部を設ける必要がないので、輸送時の振動等により棚３０や第２レール２１ｃが損傷するのを抑制することができる。
【００４６】
また、棚３０の側縁部３１の上面には側縁部３１の端面から所定の距離を隔てて突起部３１ａが形成されている。これにより、レール溝２１ｄの上側のコーナー部Ｃ１に、棚３０の側縁部３１が接触するのを抑制することができる。このため、輸送時の振動等により、肉厚の小さい部分であるレール溝２１ｄのコーナー部Ｃ１が損傷するのを抑制することができる。また、突起部３１ａにより、レール溝２１ｄと棚３０との接触面積が大きくなるのを抑制することができるので、棚３０を容易に着脱する（レール溝２１ｄに沿ってスライドさせる）ことができる。
【００４７】
また、棚３０の側縁部３１の下側のコーナー部Ｃ３の曲率半径は、レール溝２１ｄの下側のコーナー部Ｃ２の曲率半径よりも大きい。これにより、棚３０の側縁部３１はレール溝２１ｄのコーナー部Ｃ２に接触しないので、輸送時の振動等によりレール溝２１ｄが損傷するのをより抑制することができる。
【００４８】
また、係合部１３ａを後方パネル１３から前側に突出するように形成することによって、係合部１３ａが容易に弾性変形する。これにより、係合部１３ａの破損を抑制しながら、棚３０を容易に着脱することができる。また、棚３０の後縁部３２に被係合部３２ａよりも後側に突出して後方パネル１３に当接する当接部３２ｂを設けることによって、棚３０の後方向への移動を規制することができる。
【００４９】
また、当接部３２ｂの肉厚を被係合部３２ａの肉厚と略同じにすることによって、当接部３２ｂを容易に形成することができる。なお、当接部３２ｂの肉厚を後側への突出量と同じにすると、当接部３２ｂの肉厚が他の部分に比べて大きくなりすぎるので、当接部３２ｂの成形が困難になる。
【００５０】
また、第１レール２１ｂの上面を棚３０が載置される載置面として機能させることによって、ユーザは棚３０の高さ位置を調整することができる。また、上述したように第１レール２１ｂと第２レール２１ｃとの間の距離を小さくできるので、ユーザは棚３０の高さ位置を細かく調整することができる。
【００５１】
（第２実施形態）
本発明の第２実施形態では図１０に示すように、左右両側の側面部２１ａには第２レール２１ｃの下方に第３レール２１ｅが形成されている。第２レール２１ｃおよび第３レール２１ｅは、棚３０の側縁部３１を摺動可能に上下方向から挟み込む。第２レール２１ｃおよび第３レール２１ｅを用いてレール溝２１ｆが形成されている。
【００５２】
第２実施形態のその他の構造は、上記第１実施形態と同様である。
【００５３】
本実施形態では、上記のように、側面部２１ａの第２レール２１ｃの下方には第３レール２１ｅが設けられている。これにより、ユーザは棚３０の高さ位置を３段階で調整することができる。
【００５４】
第２実施形態のその他の効果は、上記第１実施形態と同様である。
【００５５】
上記第１および第２実施形態では、棚を挟み込む第１レールおよび第２レールを冷蔵室に設けた例について説明したが、冷凍室や野菜室にも適用可能である。
【００５６】
また、貯蔵室の側面部にレールを４つ以上設けてもよい。
【符号の説明】
【００５７】
１  冷蔵庫
３  冷蔵室（貯蔵室）
１３  後方パネル（貯蔵室の後面部）
１３ａ  係合部
２１ａ  側面部
２１ｂ  第１レール
２１ｃ  第２レール
２１ｄ  レール溝
２１ｅ  第３レール
３０  棚
３１  側縁部
３１ａ  突起部
３２  後縁部
３２ａ  被係合部
３２ｂ  当接部
Ｃ１、Ｃ２、Ｃ３  コーナー部
【図１】
0005882808.tif 000002
【図２】
0005882808.tif 000003
【図３】
0005882808.tif 000004
【図４】
0005882808.tif 000005
【図５】
0005882808.tif 000006
【図６】
0005882808.tif 000007
【図７】
0005882808.tif 000008
【図８】
0005882808.tif 000009
【図９】
0005882808.tif 000010
【図１０】
0005882808.tif 000011
【図１１】
0005882808.tif 000012
【図１２】
0005882808.tif 000013
【図１３】
0005882808.tif 000014